(57)【要約】【課題】  かご室内を換気するとともに、臭気を確実に取り除くことができるエレベータのかご装置を得る。【解決手段】  エレベータ昇降路内を昇降するかごと、このかごに設けられ、かごのかご室内部からかご室外部に通じる開口部と、かごに設けられ、昇降路内の空気を吸い込む吸込口及びこの吸込口から吸い込んだ空気を吹き出す吹出口を有するとともに、吹出口から吹き出された空気が開口部を介してかご室内部に吹き込まれるように配置された空気清浄機とを備え、空気清浄機は、臭気を除去する臭気除去用触媒及び活性炭を有する。【選択図】      図２
2006021911.tif 000002
【特許請求の範囲】
【請求項１】
エレベータ昇降路内を昇降するかごと、このかごに設けられ、前記かごのかご室内部から前記かご室外部に通じる開口部と、前記かごに設けられ、前記昇降路内の空気を吸い込む吸込口及びこの吸込口から吸い込んだ空気を吹き出す吹出口を有するとともに、前記吹出口から吹き出された空気が前記開口部を介して前記かご室内部に吹き込まれるように配置された空気清浄機とを備え、前記空気清浄機は、臭気を除去する臭気除去用触媒及び活性炭を有することを特徴とするエレベータのかご装置。
【請求項２】
空気清浄機の吹出口が、かごに設けられた開口部に対向するように配置されたことを特徴とする請求項１に記載のエレベータのかご装置。
【請求項３】
エレベータ昇降路内を昇降するかごと、このかごに設けられ、前記かごのかご室内部から前記かご室外部に通じる第一及び第二の開口部と、前記かごに設けられ、空気を吸い込む吸込口及びこの吸込口から吸い込んだ空気を吹き出す吹出口を有する空気清浄機と、前記第一の開口部及び前記空気清浄機の吸込口を連通する第一の通風ダクトと、前記第二の開口部及び前記空気清浄機の吹出口を連通する第二の通風ダクトとを備え、前記空気清浄機は、臭気を除去する臭気除去用触媒及び活性炭を有することを特徴とするエレベータのかご装置。
【請求項４】
空気清浄機は、揮発性有機化合物を除去する揮発性有機化合物除去材を備えたことを特徴とする請求項１から請求項３の何れかに記載のエレベータのかご装置。
【発明の詳細な説明】
【技術分野】
【０００１】
この発明は、脱臭機能を備えたエレベータのかご装置に関するものである。
【背景技術】
【０００２】
従来のエレベータのかご装置には、回転する羽根車の周方向に送風を行う型である２台の遠心式ターボファンのうちの一方をエレベータのかご室の天井に形成された吸気口に設置することによって、外の空気をかご室内に吸引するとともに、２台の遠心式ターボファンの他方をかご室の天井に形成された排気口に逆向きに設置することによってかご室内の空気をかご室外に排出するようにしたものがある（例えば、特許文献１参照）。
【０００３】
また、かご室内床に多数の通風口を設け、かご室床の下部からかごの天井側に設けられた空気循環装置に、通風ダクトを介してかご室内の空気を循環するように構成し、かご室内の空気を清浄化するものもある（特許文献２参照）。
【０００４】
【特許文献１】特開平７−３０９５６０号公報
【特許文献２】特開平５−１１６８６３号公報
【発明の開示】
【発明が解決しようとする課題】
【０００５】
特許文献１記載のエレベータのかご装置は、かご上部に設置された安価な２台の遠心式ターボファンによってかご室内の空気を換気することができるため、かご装置全体として低価格に抑えることが可能である。また、特許文献２記載のエレベータのかご装置は、かご室床面を二重構造とし、上面に設けられた多数の通風孔からかご室内の空気を空気循環装置に取り入れるため、かご室の床面に塵埃が溜まることがなく、かご室内の空気清浄度を均一にすることができる。しかし、特許文献１記載のエレベータのかご装置は昇降路内の空気をかご室内にそのまま取り込むだけであり、また、特許文献２記載のエレベータのかご装置はかご室内の空気を循環させているだけであるので、昇降路内又はかご室内に臭気が発生した場合には、その臭気がかご室内に取り込まれ、かご室内にいるエレベータの利用客が不快に感じるという問題が生じていた。
【０００６】
この発明は、上述のような課題を解決するためになされたもので、その目的は、かご室内を換気するとともに、臭気を確実に取り除くことができるエレベータのかご装置を提供することである。
【課題を解決するための手段】
【０００７】
この発明に係るエレベータかご装置は、エレベータ昇降路内を昇降するかごと、このかごに設けられ、かごのかご室内部からかご室外部に通じる開口部と、かごに設けられ、昇降路内の空気を吸い込む吸込口及びこの吸込口から吸い込んだ空気を吹き出す吹出口を有するとともに、吹出口から吹き出された空気が開口部を介してかご室内部に吹き込まれるように配置された空気清浄機とを備え、空気清浄機は、臭気を除去する臭気除去用触媒及び活性炭を有するものである。
【発明の効果】
【０００８】
この発明は、エレベータ昇降路内を昇降するかごと、このかごに設けられ、かごのかご室内部からかご室外部に通じる開口部と、かごに設けられ、昇降路内の空気を吸い込む吸込口及びこの吸込口から吸い込んだ空気を吹き出す吹出口を有するとともに、吹出口から吹き出された空気が開口部を介してかご室内部に吹き込まれるように配置された空気清浄機とを備え、空気清浄機は、臭気を除去する臭気除去用触媒及び活性炭を有する構成としたことで、かご室内を換気するとともに、臭気を確実に取り除くことができる。
【発明を実施するための最良の形態】
【０００９】
実施の形態１．
図１はこの発明の実施の形態１におけるエレベータのかご装置の平面図、図２はその正面図である。図において、エレベータ昇降路１内を昇降するかご２は、建築物の各階に設けられたエレベータ乗場に対向する位置にかご出入口２ａが設けられており、エレベータの利用客が乗るかご室は、このかご出入口２ａに設けられたかご戸（図示せず）と、かご戸の両側に設けられた袖壁と、かご室両側及び奥側に設けられたかご室壁とによって四方が囲まれている。このかご室の天井２ｂには、その中央部一面に渡って照明装置２ｃが設けられており、照明装置２ｃが設置されていない天井２ｂの一側中央部に、かご室内部からかご室外部に通じる開口部２ｄが形成されている。なお、実施の形態１は、開口部２ｄが、かご室内部からかご２上面に貫通する場合を示している。また、かご２の上面の一側中央部に設けられた空気清浄機３は、昇降路１内の空気を吸い込む吸込口３ａがかご２の中央部側となる一側面に、また、この吸込口３ａから吸い込んだ空気を空気清浄機３の外部に吹き出す吹出口３ｂが下面に設けられており、この吹出口３ｂは、かご２上部に設けられた開口部２ｄの直上部に、即ち、吹出口３ｂと開口部２ｄとが互いに対向するように配置されている。また、空気清浄機３の内部には、人体臭やペット臭、生ゴミ臭等の臭気を除去する臭気除去用触媒３ｃと活性炭３ｄとが設けられ、吸込口３ａから吸い込まれた昇降路１内の空気が、この臭気除去用触媒３ｃと活性炭３ｄとを通過するようにそれぞれ配置されている。なお、臭気除去用触媒３ｃは、例えば、酸化マンガン系の触媒から構成されている。
【００１０】
以上のように構成されたエレベータのかご装置では、かご２の上面に設けられた空気清浄機３の吸込口３ａから空気清浄機３内部に昇降路１内の空気が吸い込まれると、この吸い込まれた空気は、臭気除去用触媒３ｃ及び活性炭３ｄとを通過し、その通過の際に臭気が除去される。空気清浄機３内部で臭気が除去された空気は、吹出口３ｂから空気清浄機３の外部に吹き出され、かご２の開口部２ｄを通ってかご室内部に吹き込まれる。また、かご室内に脱臭された空気が吹き込まれることによって、かご室内の空気の一部は、かご室に形成された孔や隙間等から昇降路１へ排出される。
【００１１】
この発明の実施の形態１によれば、空気清浄機３からかご室内に吹き込まれる空気によってかご室内を換気することができるとともに、かご室内に吹き込まれる空気は、空気清浄機３内の臭気除去用触媒３ｃと活性炭３ｄとによって脱臭されているため、かご室内の臭気を確実に除去することが可能となる。また、かご室内で臭気が発生した場合でも、かご室外に排出された空気が再びかご室内に戻る際には、空気清浄機３内部の臭気除去用触媒３ｃ及び活性炭３ｄによって確実に脱臭されるため、臭気がかご室内に戻ることはなく、快適なエレベータのサービスを提供することが可能である。
【００１２】
実施の形態２．
図３はこの発明の実施の形態２におけるエレベータのかご装置の平面図、図４はその正面図である。図において、エレベータのかご２上面の一側中央部に設けられた空気清浄機３は、その内部に、人体臭やペット臭、生ゴミ臭等の臭気を除去する臭気除去用触媒３ｃ及び活性炭３ｄと、揮発性有機化合物（以下「ＶＯＣ」という。）を除去する揮発性有機化合物除去材（以下「ＶＯＣ除去材」という。）３ｅとが並設されており、吸込口３ａから空気清浄機３内部に吸い込まれた昇降路１内の空気が、この臭気除去用触媒３ｃと活性炭３ｄとＶＯＣ除去材３ｅとを通過するようにそれぞれ配置されている。なお、ＶＯＣ除去材３ｅは、例えば、ＶＯＣ除去用の酸化マンガン系の触媒から構成される。
【００１３】
以上のような構成を有するエレベータのかご装置では、かご２の上面に設けられた空気清浄機３の吸込口３ａから空気清浄機３内部に昇降路１内の空気が吸い込まれると、この吸い込まれた空気は、臭気除去用触媒３ｃ、活性炭３ｄ及びＶＯＣ除去材３ｅとを通過し、その通過の際に臭気及びＶＯＣが除去される。空気清浄機３内部で臭気及びＶＯＣが除去された空気は、吹出口３ｂから空気清浄機３の外部に吹き出され、かご２の開口部２ｄを通ってかご室内部に吹き込まれる。また、臭気とＶＯＣとが除去された空気が空気清浄機３からかご室内に吹き込まれることによって、かご室内の空気の一部は、かご室に形成された孔や隙間等から昇降路１へ排出される。
【００１４】
この発明の実施の形態２によれば、空気清浄機３からかご室内に吹き込まれる空気によってかご室内を換気することができるとともに、かご室内に吹き込まれる空気は、空気清浄機３内の臭気除去用触媒３ｃと活性炭３ｄとによって脱臭され、且つ、ＶＯＣ除去材３ｅによってＶＯＣが除去されているため、かご室内の臭気及び有害なＶＯＣを確実に除去することが可能となる。なお、その他は実施の形態１と同様の構成及び効果を有している。
【００１５】
実施の形態３．
図５はこの発明の実施の形態３におけるエレベータのかご装置の平面図、図６はその正面図である。図において、エレベータのかご２に設けられたかご室の天井２ｂには、その中央部一面に渡って照明装置２ｃが設けられており、照明装置２ｃが設置されていない天井２ｂの一側中央部に、かご室内部からかご室外部に通じる第一の開口部２ｅが形成されている。なお、図６では、第一の開口部２ｅが、かご室内部からかご２上面に貫通する場合を示している。かご２の上面には、この第一の開口部２ｅを覆うようにダクトボックス４ａが設けられ、このダクトボックス４ａの下面には、第一の開口部２ｅの直上部に貫通孔（図示せず）が設けられている。一方、照明装置２ｃが設置されていない天井２ｂの他側中央部には、かご室内部からかご室外部に通じる第二の開口部２ｆが形成されている。なお、第二の開口部２ｆも第一の開口部２ｅと同様に、図６においては、かご室内部からかご２上面に貫通する場合が示されている。かご２の上面には、この第二の開口部２ｆを覆うようにダクトボックス４ｂが設けられ、このダクトボックス４ｂの下面には、第二の開口部２ｆの直上部に貫通孔（図示せず）が設けられている。また、かご２の上面中央部に設けられた空気清浄機３は、空気を吸い込む吸込口３ａが第一の開口部２ｅ側の側面に設けられ、この吸込口３ａとダクトボックス４ａとに、ダクトボックス４ａを介して吸込口３ａと第二の開口部２ｆとを連通する第一の通風ダクト５ａが設けられている。一方、空気清浄機３の第二の開口部２ｆ側の側面には、吸込口３ａから空気清浄機３内部に吸い込んだ空気を外部に吹き出す吹出口３ｂが設けられ、この吹出口３ｂとダクトボックス４ｂとに、ダクトボックス４ｂを介して吹出口３ｂと第二の開口部２ｆとを連通する第二の通風ダクト５ｂが設けられている。また、空気清浄機３の内部には、人体臭やペット臭、生ゴミ臭等の臭気を除去する臭気除去用触媒３ｃ及び活性炭３ｄと、ＶＯＣを除去するＶＯＣ除去材３ｅとが並設されており、吸込口３ａから空気清浄機３内部に吸い込まれた空気が、この臭気除去用触媒３ｃと活性炭３ｄとＶＯＣ除去材３ｅとを通過するようにそれぞれ配置されている。
【００１６】
以上のような構成を有するエレベータのかご装置では、かご室内の空気は、かご室の天井２ｂに形成された第一の開口部２ｅ、ダクトボックス４ａ及び通風ダクト５ａを通り、吸込口３ａから空気清浄機３内部に吸い込まれる。吸込口３ａから空気清浄機３内に吸い込まれた空気は、空気清浄機３内の臭気除去用触媒３ｃと活性炭３ｄとＶＯＣ除去材３ｅとを通過し、その通過の際に臭気及びＶＯＣが除去される。空気清浄機３内部で臭気及びＶＯＣが除去された空気は、吹出口３ｂから空気清浄機３外部に吹き出され、通風ダクト５ｂ、ダクトボックス４ｂを通って、かご室の天井２ｂに形成された第二の開口部２ｆから再びかご室内に戻される。
【００１７】
この発明の実施の形態３によれば、かご２の第一の開口部２ｅと空気清浄機３の吸込口３ａとを、ダクトボックス４ａを介して通風ダクト５ａによって連通し、空気清浄機３の吹出口３ｂとかご２の第二の開口部２ｆとを、ダクトボックス４ｂを介して通風ダクト５ｂによって連通しているため、かご室内の空気を循環させることが可能となる。このため、実施の形態１及び２のように昇降路１内の空気をかご室内に取り込む場合より、脱臭及びＶＯＣ除去を効率よく行うことができる。また、昇降路１内で発生した臭気をかご室内に取り込む恐れもない。また、通風ダクト５ａ及び５ｂの配置を変更することにより、空気清浄機３と第一の開口部２ｅ及び第二の開口部２ｆとの位置を自由に設定することができるため、かご２の上面に他の機器類が設置されている場合でも、容易に対応することが可能となる。なお、空気清浄機３や第一の開口部２ｅ、第二の開口部２ｆの位置は、通風ダクト５ａ及び５ｂによってかご室と空気清浄機３とを連通することが可能であれば特にかご２の上面に限定されるものではない。その他は実施の形態２と同様の構成及び効果を有している。
【図面の簡単な説明】
【００１８】
【図１】この発明の実施の形態１におけるエレベータのかご装置の平面図である。
【図２】この発明の実施の形態１におけるエレベータのかご装置の正面図である。
【図３】この発明の実施の形態２におけるエレベータのかご装置の平面図である。
【図４】この発明の実施の形態２におけるエレベータのかご装置の正面図である。
【図５】この発明の実施の形態３におけるエレベータのかご装置の平面図である。
【図６】この発明の実施の形態３におけるエレベータのかご装置の正面図である。
【符号の説明】
【００１９】
１  昇降路
２  かご
２ａ  かご出入口
２ｂ  天井
２ｃ  照明装置
２ｄ  開口部
２ｅ  第一の開口部
２ｆ  第二の開口部
３  空気清浄機
３ａ  吸込口
３ｂ  吹出口
３ｃ  臭気除去用触媒
３ｄ  活性炭
３ｅ  ＶＯＣ除去材
４ａ、４ｂ  ダクトボックス
５ａ、５ｂ  通風ダクト
【図１】
2006021911.tif 000003
【図２】
2006021911.tif 000004
【図３】
2006021911.tif 000005
【図４】
2006021911.tif 000006
【図５】
2006021911.tif 000007
【図６】
2006021911.tif 000008